(57)【要約】【課題】画像形成装置のプロセス条件（プロセス速度・帯電ＡＣ周波数・現像ＡＣ周波数）に関わらず、高品質な画像を提供できる画像形成装置を提供する。【解決手段】帯電装置に印加する帯電バイアス及び現像装置に印加する現像バイアスを所定の条件に設定することのできる制御手段は、帯電装置の交流バイアスの周波数をＦｃ（Ｈｚ）、現像装置の交流バイアスの周波数をＦｄ（Ｈｚ）、交流バイアスの周波数Ｆｄと交流バイアスの周波数Ｆｃを整数ｎ倍した値とのずれをα（Ｈｚ）とし、像担持体への画像形成速度をＶ（ｍｍ／ｓｅｃ）、トナー像が転写される記録材の搬送方向の長さをＤ（ｍｍ）としたとき、Ｆｄ＝Ｆｃ×ｎ＋α  且つ  Ｖ／｜α｜＞Ｄ  且つ  ｜α｜＜Ｆｃとなるように設定する。【選択図】図７
2011252980.tif 000002
【特許請求の範囲】
【請求項１】
像担持体と、
直流バイアスに交流バイアスを重畳した帯電バイアスが印加され、前記像担持体に当接若しくは近接して帯電処理する帯電部材を備えた帯電装置と、
帯電処理された前記像担持体に静電潜像を形成する静電像形成手段と、
前記像担持体に形成された静電潜像を現像してトナー像とするために、直流バイアスに交流バイアスを重畳した現像バイアスが印加される現像部材を備えた現像装置と、
を備え、前記像担持体に形成されたトナー像を記録材に転写して画像を得る画像形成装置において、
前記帯電装置に印加する帯電バイアス及び前記現像装置に印加する現像バイアスを所定の条件に設定することのできる制御手段を有し、
前記制御手段は、前記帯電装置の交流バイアスの周波数をＦｃ（Ｈｚ）、前記現像装置の交流バイアスの周波数をＦｄ（Ｈｚ）、前記交流バイアスの周波数Ｆｄと前記交流バイアスの周波数Ｆｃを整数ｎ倍した値とのずれをα（Ｈｚ）とし、前記像担持体への画像形成速度をＶ（ｍｍ／ｓｅｃ）、前記トナー像が転写される記録材の搬送方向の長さをＤ（ｍｍ）としたとき、
Ｆｄ＝Ｆｃ×ｎ＋α  且つ  Ｖ／｜α｜＞Ｄ  且つ  ｜α｜＜Ｆｃ
となるように設定することを特徴とする画像形成装置。
【請求項２】
前記制御手段は、画像形成開始時において、前記帯電装置の交流バイアスと前記現像装置の交流バイアスの位相差が最小又は最大となるように設定することを特徴とする請求項１に記載の画像形成装置。
【請求項３】
前記記録材の長さＤは、Ｂ５サイズの短辺を最短、１１×１２用紙サイズの長辺を最長とすることを特徴とする請求項１に記載の画像形成装置。
【請求項４】
前記制御手段は、濃度変動の周期の長さをＬとしたとき、前記帯電装置の交流バイアス及び前記現像装置の交流バイアスがＬ＞２Ｄとなる周波数条件をさらに有し、前記帯電装置の交流バイアスと前記現像装置の交流バイアスの位相差において、記録材の先端時位相と後端時位相との差が半波長以下となるように設定することを特徴とする請求項１に記載の画像形成装置。
【請求項５】
前記制御手段は、前記交流バイアスの周波数Ｆｄと前記交流バイアスの周波数Ｆｃを整数ｎ倍した値との位相差を検知し、その位相差に基づいて濃度補正を行うことを特徴とする請求項１に記載の画像形成装置。
【発明の詳細な説明】
【技術分野】
【０００１】
本発明は、例えば、複写機、レーザービームプリンタなどのような電子写真技術を用いた画像形成装置に関するものである。
【背景技術】
【０００２】
電子写真技術を用いた画像形成装置においては、例えば帯電部材として帯電ローラを備えた接触式帯電装置を用い、電圧を印加した該帯電ローラを電子写真感光体とされる像担持体の面に接触させて、像担持体の帯電処理を行うことが行われている。
【０００３】
接触帯電装置には帯電バイアスとして直流電圧のみを用いるＤＣ帯電方式と、直流電圧に交流電圧を重畳して印加を行うＡＣ帯電方式とがある。このうちＡＣ帯電方式にはＤＣ帯電方式に比べて、その交流成分が帯電電圧のばらつきを抑制し均一に帯電する効果が得られ有用であるため近年多用されている。
【０００４】
さらに、像担持体に形成された静電潜像をトナー像とするために、例えば現像部材とし現像ローラを備えた現像装置においては、現像性を向上させるために現像ローラに対して、帯電装置と同様に、直流電圧に交流電圧を重畳させることがなされている。
【０００５】
しかしながら、特許文献１などに記載されるように、帯電及び現像に交流成分を用いることによって帯電ＡＣ周波数と現像ＡＣ周波数の間での周波数干渉によって干渉縞が発生してしまう。このとき、帯電ＡＣ及び現像ＡＣの周波数の組み合わせと、画像を形成する速度であるプロセススピードの設定によっては記録紙上の形成画像に人間の感知し易い濃度ムラが顕著に現れることがあった。
【０００６】
この問題の解決方法として、特許文献１には、帯電ＡＣ周波数と現像ＡＣ周波数との間に生ずる干渉周期によって発生する濃度ムラを人間の目の感度が低い０．２５ｍｍ以下の高周波に設定する手法が開示されている。
【先行技術文献】
【特許文献】
【０００７】
【特許文献１】特開２００３−１０７８０８号公報
【発明の概要】
【発明が解決しようとする課題】
【０００８】
しかしながら、帯電ＡＣ周波数と現像ＡＣ周波数は、それぞれ個別のパラメータであり、帯電ＡＣ周波数の変化は、騒音（帯電音）、帯電ムラに影響し、また、現像ＡＣ周波数の変化は、現像性（濃さ、カブリ）に影響する。帯電ＡＣ周波数と現像ＡＣ周波数は、それぞれの設定可能範囲によっては十分高周波にすることができない場合に干渉縞を生じ、画質の低下をユーザに感知されてしまうことがあった。
【０００９】
そこで、本発明の目的は、上記従来の問題に対し、濃度ムラの発生周期を人間の感知し難い長周期とすることで、高品位な画像形成を実現することのできる画像形成装置を提供することである。
【００１０】
つまり、本発明の目的は、画像形成装置のプロセス条件（プロセス速度、帯電交流バイアス周波数、現像交流バイアス周波数）に関わらず、高品質な画像を提供することのできる画像形成装置を提供することである。
【課題を解決するための手段】
【００１１】
上記目的は本発明に係る画像形成装置にて達成される。要約すれば、本発明は、
像担持体と、
直流バイアスに交流バイアスを重畳した帯電バイアスが印加され、前記像担持体に当接若しくは近接して帯電処理する帯電部材を備えた帯電装置と、
帯電処理された前記像担持体に静電潜像を形成する静電像形成手段と、
前記像担持体に形成された静電潜像を現像してトナー像とするために、直流バイアスに交流バイアスを重畳した現像バイアスが印加される現像部材を備えた現像装置と、
を備え、前記像担持体に形成されたトナー像を記録材に転写して画像を得る画像形成装置において、
前記帯電装置に印加する帯電バイアス及び前記現像装置に印加する現像バイアスを所定の条件に設定することのできる制御手段を有し、
前記制御手段は、前記帯電装置の交流バイアスの周波数をＦｃ（Ｈｚ）、前記現像装置の交流バイアスの周波数をＦｄ（Ｈｚ）、前記交流バイアスの周波数Ｆｄと前記交流バイアスの周波数Ｆｃを整数ｎ倍した値とのずれをα（Ｈｚ）とし、前記像担持体への画像形成速度をＶ（ｍｍ／ｓｅｃ）、前記トナー像が転写される記録材の搬送方向の長さをＤ（ｍｍ）としたとき、
Ｆｄ＝Ｆｃ×ｎ＋α  且つ  Ｖ／｜α｜＞Ｄ  且つ  ｜α｜＜Ｆｃ
となるように設定することを特徴とする画像形成装置である。
【発明の効果】
【００１２】
本発明によれば、濃度ムラの発生周期が用紙幅以上となる人間の感知し難い長周期とすることで、高品位な画像形成が可能となる。
【図面の簡単な説明】
【００１３】
【図１】本発明に係る画像形成装置の一実施例の概略構成断面図である。
【図２】本発明に係る画像形成装置の画像形成部の模式断面図である。
【図３】本発明に係る画像形成装置の高圧回路構成図である。
【図４】本発明に係る画像形成装置における位相差による濃度変動を示す図である。
【図５】本発明に係る画像形成装置おけるビデオコントロール部のブロック図である。
【図６】本発明に係る画像形成装置における画像処理タイミングを示す図である。
【図７】本発明に係る画像形成装置における制御フローチャートを示す図である。
【発明を実施するための形態】
【００１４】
以下、本発明に係る画像形成装置を図面に則して更に詳しく説明する。
【００１５】
実施例１
図１に、本発明に係る画像形成装置の一実施例の概略構成断面図を示す。本実施例にて、画像形成装置１００は、電子写真方式のカラー画像形成装置とされ、複数の、本実施例では、４色の画像形成部１（１ａ、１ｂ、１ｃ、１ｄ）を備えている。
【００１６】
図１にて、各イエロー（Ｙ）、マゼンタ（Ｍ）、シアン（Ｃ）、ブラック（Ｋ）の４色の画像形成部１（１ａ、１ｂ、１ｃ、１ｄ）は、中間転写体としての中間転写ベルト８に沿って一列に配置されている。本実施例では、画像形成部１（１ａ、１ｂ、１ｃ、１ｄ）は中間転写ベルト８に沿って水平に配列されているが、これに限定されるものではなく、傾斜して配列されていても良い。中間転写ベルト８は、支持ローラ２０ａ、２０ｂ、２０ｃに張架され、矢印方向に回動可能とされる。
【００１７】
本実施例では、画像形成装置１００の下方に位置して、記録材としての記録紙Ｐを、中間転写ベルト８の二次転写部Ｔ２へと送給するために、記録紙カセット１０５、給紙ローラ１０６、搬送ローラ１０７などが配置されている。二次転写部Ｔ２には、二次転写装置としての転写ローラ２１が配置されている。また、二次転写部Ｔ２にて転写ローラ２１の作用により中間転写ベルト８上のカラー画像が転写された記録紙Ｐのその後の搬送経路に沿って、定着装置１１０、排紙ローラ１１１、及び、排紙トレー１１２が配置されている。
【００１８】
各画像形成部１（１ａ、１ｂ、１ｃ、１ｄ）は同じ構成とされる。従って、図２を参照して説明する画像形成部の説明では、特に必要とする場合を除いて、イエロー（Ｙ）、マゼンタ（Ｍ）、シアン（Ｃ）、ブラック（Ｋ）を示すための符号ａ、ｂ、ｃ、ｄは省略して、画像形成部１として説明する。
【００１９】
図２を参照して、本実施例の画像形成装置１００の画像形成部１における画像形成動作について説明する。
【００２０】
本実施例にて、画像形成部１は、像担持体としてのドラム型の電子写真感光体（以下、「感光ドラム」という。）２が回転自在に設置されている。感光ドラム２の周囲には、帯電装置である一次帯電器３、現像装置４、転写手段としての転写ローラ５、ドラムクリーナ装置６が配置されている。一次帯電器３と現像装置４との間の下方には、静電潜像を形成する静電像形成手段としての露光装置であるレーザスキャナ７が設置されている。レーザスキャナ７には、リーダユニットやＰＣより入力された画像を画像処理するためのビデオコントローラ９が接続されている。そして、ビデオコントローラ９によって処理された画像データに基づいてレーザスキャナ７は感光ドラム２へと画像露光Ｌを行うべくレーザを照射する。
【００２１】
例えば、帯電部材として感光ドラム１に当接若しくは近接して帯電処理する帯電ローラ３ａを備えた帯電装置３によって一様に帯電された感光ドラム１には、レーザスキャナ７による像露光Ｌにより画像信号に応じた静電潜像が形成される。静電潜像が形成された感光ドラム１は、現像部材としての現像ローラ４ａを備えた現像装置４により現像され、潜像に応じて感光ドラム１上に現像剤像（トナー像）が形成される。
【００２２】
このようにして、４色、本実施例では、マゼンタ（Ｍ）、シアン（Ｃ）、ブラック（Ｂ）成分に応じた画像形成部１（１ａ、１ｂ、１ｃ、１ｄ）において、トナー像が感光ドラム２（２ａ、２ｂ、２ｃ、２ｄ）上に形成される。各感光ドラム２（２ａ、２ｂ、２ｃ、２ｄ）上のトナー像は、一次転写部Ｔ１（Ｔ１ａ、Ｔ１ｂ、Ｔ１ｃ、Ｔ１ｄ）にて転写ローラ５（５ａ、５ｂ、５ｃ、５ｄ）により、中間転写ベルト８上に重ね転写され、カラートナー像が形成される。
【００２３】
中間転写ベルト８上のカラートナー像は、二次転写部Ｔ２の二次転写装置としての二次転写ローラ２１により、記録紙Ｐに転写される。そして記録紙Ｐは、定着装置１１０にてトナー像の加圧・加熱定着を施され、その後排紙トレー１１２に搬送される。
【００２４】
上記構成の画像形成装置１００にて、画像形成部１の一次帯電器３には帯電バイアス電源２０１が、現像装置４には現像バイアス電源２０２がそれぞれ備えられている。
【００２５】
これらのバイアス電源の構成及び制御を、図３を参照して説明する。
【００２６】
帯電バイアス電源２０１は、帯電交流バイアス発生部３０２と帯電直流バイアス発生部３０３から構成されている。また、出力電圧及び交流バイアス周波数は、制御手段であるＣＰＵ３０１によって制御されている。ＣＰＵ３０１は、画像形成時において、帯電交流バイアス発生部３０２に対して出力振幅と周波数の設定値をパルス幅として送信している。帯電交流バイアス発生部３０２に使用されているトランスは、巻き数比が１：１００となっている。また、ＣＰＵ３０１は、帯電交流バイアス発生部３０２の正弦波生成部に対して、出力振幅の設定としてＤｕｔｙ７５％のＰＷＭ信号と、周波数設定信号として９２０．８０５ＨｚでＤｕｔｙ５０％のＰＷＭ信号を創出する。これらの信号を基準として、高圧出力のＡＣ電圧は、Ｐｋ−Ｐｋ電圧において１８００Ｖ、またＡＣ周波数９２０．８０５Ｈｚが出力される。
【００２７】
さらに、帯電交流バイアス発生部３０２には、帯電直流バイアス発生部３０３によって直流成分が重畳されている。この時のＤＣ電圧は、−８００Ｖ程度であり、結果として直流バイアス電圧の−８００Ｖを中心として±８００Ｖの振れ幅を持った電圧が出力される。
【００２８】
現像バイアス電源２０２にも帯電バイアス電源２０１と同様に、現像交流バイアス発生部３０４と現像直流バイアス発生部３０５によって構成されている。現像バイアス電源２０２の制御は、現像交流バイアス発生部３０４においてトランスに与えられる駆動波が矩形波であるものの、その他の制御は帯電バイアス電源２０１と同様である。また、現像バイアス電源による出力は、直流電圧の−１０００Ｖを中心として振れ幅±１０００Ｖであり、交流バイアス成分の周波数は、帯電交流バイアス周波数の１３倍となる１１．０４９ＫＨｚである。
【００２９】
また、ＣＰＵ３０１は、動作クロックが２８ＭＨｚ程度と高圧制御信号に対して高速に動作しており、３．５×１０―8［ｓｅｃ］単位の分解能でＡＣ周波数を設定することが可能である。さらに、動作クロックは、水晶振動子を基準としており±０．１％と精度良く帯電及び現像交流バイアスの周波数を設定することが可能である。つまり、本実施例ではＣＰＵ３０１がＡＣ周波数を決定するＰＷＭを２８ＭＨｚの分解能で設定できる。
【００３０】
人間の目は、波長が０．２５ｍｍ以下の周期的な斑に対して感度が低い。そこで、本実施例における画像形成部１は、人間の目による感知範囲を考慮し、プロセス条件の互いの干渉によって発生する濃度ムラを低減し、形成画像を高画質にする。つまり、感光ドラム２上に画像を形成する時の速度（プロセススピード）をＶ（ｍｍ／ｓｅｃ）、帯電部材３ａに印加された交流バイアス（帯電交流バイアス）の周波数をＦｃ（Ｈｚ）、現像部材４ａに印加された交流バイアス（現像交流バイアス）の周波数Ｆｄ（Ｈｚ）、記録紙Ｐの搬送方向長さをＤ（ｍｍ）、とすると、各々の周波数の関係が下記の所定条件を満たすようにする。（バイアス設定条件）
Ｆｄ＝Ｆｃ×ｎ＋α  （ｎは自然数）  且つ  Ｖ／｜α｜＞Ｄ  且つ  ｜α｜＜Ｆｃ
【００３１】
上記条件を満たすように制御することにより、プロセス速度、帯電交流バイアス及び現像交流バイアスの互いの周波数干渉によって発生する濃度ムラを低減し、形成画像を高画質にする。
【００３２】
なお、画像形成部１における周波数設定範囲は、本実施例においては帯電交流バイアス周波数９００〜９５０Ｈｚ、現像交流バイアス周波数１１．０〜１２．０ＫＨｚの範囲に設定可能である。
【００３３】
このときに発生する濃度ムラについて説明する。
【００３４】
濃度ムラは、図４に示すように、帯電交流バイアス周波数Ｆｃと現像交流バイアス周波数Ｆｄの位相差、画像形成速度、画像密度の関係によって発生周期が決定される。
【００３５】
即ち、帯電交流バイアス周波数Ｆｃと現像交流バイアス周波数Ｆｄの波長成分が重なり合う場合、帯電と現像の位相が逆位相になった時刻から次に逆位相になるまでの時間（周期長さＬ）の間に合成波長の振幅は、小、大、小と変化して１回の濃度変動を起こす。
【００３６】
一例として、
帯電交流バイアス周波数Ｆｃ：９２０．８０５Ｈｚ
現像交流バイアス周波数Ｆｄ：１１．０４９７２ＫＨｚ
プロセススピードＶ：１３５ｍｍ／ｓ
といった設定条件において画像形成を行った場合、濃度変動の周期Ｌは、次の通りである。
Ｆｄ＝Ｆｃ×ｎ＋α  （ｎは自然数）  且つ  Ｖ／｜α｜＞Ｄ  且つ  ｜α｜＜Ｆｃ
Ｌ＝Ｖ／｜α｜＝Ｖ／｜（Ｆｄ−ｎ×Ｆｃ）｜
＝１３５／｜（１１０４９．７２−１２×９２０．８０５）｜
＝２２５０ｍｍ
となる。
【００３７】
さらに、本実施例の画像形成装置１００は、最大用紙サイズが３０４．８ｍｍ×４５７．２ｍｍであるため、使用可能な用紙幅に対して干渉周期が１回未満となる関係を持つ。また、濃度ムラの発生周期が人間の安定注視野に対して十分大きいため、濃度ムラを検知し難い。具体的には、人間が固定した位置で視野として視覚情報をとることのできる角度は、両目観察の状態で８０°である。例えば目の位置より６０ｃｍ離した用紙を観察した場合の左右視野範囲は１４４ｃｍである。よって、２２５０ｍｍは視野範囲に対して十分大きい。
【００３８】
また、さらに濃度ムラを検知し難くするために、画像形成開始時において各形成画像の先端において、帯電交流バイアス周波数の整数ｎ倍（ここでは１１．０４９ＫＨｚ、ｎ＝１３）と、現像交流バイアス周波数の位相差が０（最小）又はπ（最大）になるように設定を行っても良い。
【００３９】
つまり、濃度変動の周期の長さをＬとしたとき、帯電交流バイアス及び現像交流バイアスがＬ＞２Ｄとなる周波数条件とし、帯電交流バイアスと現像交流バイアスの位相差において、記録紙の先端時位相と後端時位相との差が半波長以下となるように設定することができる。
【００４０】
具体的には画像の先端において、帯電交流バイアスと現像交流バイアスの位相が同位相となる関係で画像形成動作を開始し、濃度変動長Ｌが記録紙サイズの２倍となる関係（Ｌ＞２Ｄ）を持つことで、濃度変動を単調増或いは単調減となる関係とすることができる。これによって記録紙内においては濃度変動のピークが複数回発生することによる縞状の濃度変動が現れないため、人間に濃度変動は感知し難い。
【００４１】
つまり、上記の如き本発明者等の検討結果によれば、記録紙の搬送方向長さＤは、Ｂ５サイズの短辺（１８２ｍｍ）を最短とし、１１×１２用紙サイズの長辺（３０４．８ｍｍ）を最長とした場合には、本発明の効果が充分に達成される。
【００４２】
本実施例の構成の画像形成装置１００は、図５のコントローラ接続ブロック図に示されるように、画像処理を行うためのビデオコントローラ９がレーザスキャナ７に接続される構成を取っている。ＰＣ５０４かＵＳＢケーブル経由でビデオコントロールＩＣ５０３に画像データが入力されると、ビデオコントロールＩＣ５０３は画像データをレーザスキャナ７のレーザ発光パターンに変換する。レーザコントロールＩＣ５０２は、発光パターンに従って、レーザスキャナ７に搭載されている不図示のＹＭＣＫ各色のレーザを駆動することによって感光ドラム２上に潜像を形成する。さらにエンジンコントローラ５０５には前述のＣＰＵ３０１が搭載されている。また、ビデオコントロールＩＣ５０３とはシリアル通信を通じて、画像形成装置の動作タイミングとビデオコントローラ９によって画像処理されレーザ駆動信号としてレーザコントロールＩＣ５０２から出力されるタイミングとを同期するように制御されている。よって、ビデオコントロールＩＣ５０３は通信を通じてＣＰＵ３０１によって帯電交流バイアス及び現像交流バイアスの位相状態（位相差）を検知することができる。さらには、位相状態（位相差）に対して濃度変動量を算出することができるため、各記録紙上の副走査ラインに対して各々の濃度を変更することで、干渉によって発生する濃度変動を相殺することができる。
【００４３】
この時の動作シーケンスを図６の画像描写タイミングチャート、及び、図７のフローチャートを用いて説明する。
【００４４】
ＰＣ５０４より１ページ分の画像データが送出されると、ビデオコントロールＩＣ５０３は画像処理を行う。１ページ分の処理が完了するとＣＰＵ（制御手段）３０１に対して、画像処理完了を報知する（Ｓ１０１）。
【００４５】
ＣＰＵ３０１は、画像処理の完了及び記録紙の搬送が画像形成開始位置であるレジ先端に到達すると、ビデオコントロールＩＣ５０３によって報知された画像モードに基づいて、記録紙の搬送速度を決定する。そして、決定速度に基づいて記録紙を二次転写部へと搬送すると共に、レーザコントロールＩＣ５０２に対して、主走査同期信号Ｖｓｙｎｃを送出する。
【００４６】
さらに、ビデオコントロールＩＣ５０３は、ＣＰＵ３０１より報知された用紙サイズ及び用紙厚、ＰＣ５０４より報知された解像度に基づいて、プロセス速度を決定し、ＣＰＵ３０１へと報知を行う。本実施例においては、Ａ４普通紙、６００ｄｐｉとする。前述の画像モードによって、ＣＰＵ３０１は１３５ｍｍ／ｓでの画像形成を決定する（Ｓ１０２）。
【００４７】
Ｖｓｙｎｃの送出と同じタイミングにおいてＣＰＵ３０１は、報知された各画像モードによって予め定められた帯電交流バイアス周波数９２０．８０５Ｈｚを帯電交流バイアス発生部３０２に設定し、帯電交流バイアス発生部３０２の出力を開始する（Ｓ１０３）。
【００４８】
さらに、現像交流バイアス発生部３０４を前述のバイアス設定条件を満たす周波数１１．０４９７２ＫＨｚに設定する（Ｓ１０４）。そして、帯電交流バイアス発生部３０２と現像交流バイアス発生部３０４の位相差が０となるタイミングにおいて、出力が開始されるように現像交流バイアス発生部３０４に対して設定を行い、現像交流バイアス発生部３０４の出力を開始する（Ｓ１０５）。
【００４９】
レーザコントロールＩＣ５０３は、主走査同期信号より、例えばＡ４普通紙に対しては６００ｄｐｉのピッチで画像描写を開始する。さらには、各副走査ラインの開始タイミングにおいて、ＣＰＵ３０１より報知された濃度変動情報に基づいて、レーザ出力強度ないしはレーザ出力パルス幅の調整を行う。これによって、帯電交流バイアス及び現像交流バイアスの干渉によって発生する濃度変動を相殺するように濃度補正を行う（Ｓ１０６）。
【００５０】
決定したレーザ強度によって各ラインを描写し、１ページ分の画像形成が終了すると（Ｓ１０７）、画像形成動作を終了する。
【００５１】
このとき、次ページの画像形成が存在する場合には、先のＳ１０５の高圧位相設定より、再度画像形成動作を行っていく。
【００５２】
上記実施例では、本発明は、中間転写方式のカラー画像形成装置であるとして説明したが、本発明はこれに限定されるものではない。
【００５３】
本発明は、例えば、画像形成部１へと記録材担持体にて搬送される記録紙Ｐに対して、それぞれ感光ドラム２の表面に形成されたトナー画像が順次直接転写されてカラー画像が記録される直接転写方式のカラー画像形成装置とすることもできる。
【００５４】
つまり、画像形成部１（１ａ、１ｂ、１ｃ、１ｄ）は、中間転写体としての中間転写ベルト８の代わりに、記録材を搬送する、例えばベルト状の記録材担持体、即ち、搬送ベルトに沿って一列に配列して配置されている構成とされる。
【００５５】
その他の、画像形成装置の構成、及び、画像形成部の構成は、実施例１と同様とされる。斯かる直接転写方式のカラー画像形成装置は、当業者には周知であるので、これ以上の説明は省略する。
【００５６】
斯かる直接転写方式のカラー画像形成装置においても、実施例１と同様に構成することにより、同様の作用効果を達成し得る。
【符号の説明】
【００５７】
１（１ａ、１ｂ、１ｃ、１ｄ）      画像形成部
２（２ａ、２ｂ、２ｃ、２ｄ）      感光ドラム（像担持体）
３（３ａ、３ｂ、３ｃ、３ｄ）        一次帯電器（帯電装置）
４（４ａ、４ｂ、４ｃ、４ｄ）      現像装置（現像装置）
５（５ａ、５ｂ、５ｃ、５ｄ）      転写ローラ（一次転写装置）
７（７ａ、７ｂ、７ｃ、７ｄ）      レーザスキャナ（露光装置）
８        中間転写ベルト（中間転写体）
９        ビデオコントローラ
２１      二次転写ローラ（二次転写装置）
２０１    帯電高圧
２０２    現像高圧
３０１    ＣＰＵ（制御手段）
３０２    帯電交流バイアス発生部
３０３    帯電直流バイアス発生部
３０４    現像交流バイアス発生部
３０５    現像直流バイアス発生部
５０２    レーザコントロールＩＣ
５０３    ビデオコントロールＩＣ
５０４    ＰＣ
５０５    エンジンコントローラ
【図１】
2011252980.tif 000003
【図２】
2011252980.tif 000004
【図３】
2011252980.tif 000005
【図４】
2011252980.tif 000006
【図５】
2011252980.tif 000007
【図６】
2011252980.tif 000008
【図７】
2011252980.tif 000009